(57)【特許請求の範囲】
【請求項１】
遊技機に固定され、略円筒形状を呈する筺体と、
前記筺体の内部に、上下移動および周方向の回転移動が可能に設けられる移動体と、
前記移動体を上方へと付勢する付勢部材と、
前記筺体の内部に設けられる光源と、
前記筺体の内部に設けられ前記移動体の上下移動を検知する検知手段と、を備え、
前記移動体は、
中空で上部が開口し内部に前記光源の発する光を反射する光反射部材が設けられた可動子と、
上方からの押圧を受けて前記移動体に前記上下移動を行わせ、前記開口を塞ぐように前記可動子に装着される透光性を有する押圧部材と、
前記押圧部材と前記可動子との間に、前記開口よりも大径の光を拡散させるフィルタと、を含んでなり、
前記押圧部材の側面から側方に突出した突起が前記筺体の内周面に前記上下移動の方向を長手方向として形成された案内溝にガイドされて前記押圧を受けて前記上下移動するときの方向と同じ方向に前記筺体の内部に挿入されるとともに、さらに前記突起が前記筺体の内周面に周方向を長手方向として形成された規制窓にガイドされて周方向に回転移動されることによって、前記突起と前記規制窓との係合で抜き取り不能に前記筺体に係り合って装着され、
装着時においては、前記突起の上端と前記筐体の一部とが当接するとともに、前記突起の下端と前記可動子のフランジとが当接していること
を特徴とする、遊技機用の照光式押圧スイッチ。
【請求項２】
前記可動子の底部から下方に延設された一対の脚部を備え、
前記筐体の底を覆う底部を備え、
前記底部は、前記移動体を前記筐体に対して周方向に回転させることにより前記脚部の前後方向の移動を規制する第１脚受壁と、前記脚部の左右方向の移動を規制する第２受壁とを備えること
を特徴とする、請求項１に記載の遊技機用の照光式押圧スイッチ。
【発明の詳細な説明】
【技術分野】
【０００１】
本発明は、遊技機用の照光式押圧スイッチに関する。
【背景技術】
【０００２】
パチンコやパチスロなどに代表される遊技機では、遊技者が操作して遊技を実行する照光式押圧スイッチが遊技機の操作パネル上に設けられている。この照光式押圧スイッチは、賭け率を選択し、回転しているリールを停止させ、遊技玉（メダル）の補給・排出を行い、チャンススイッチと呼ばれる遊技の演出を多用化させたりする手段として用いられている。
さらに、これら照光式押圧スイッチは、光源を内蔵させて押圧面を照光させることによって、多彩な色を発光・点滅させて発光装飾を行ったり、遊技者に対し操作を示唆して、遊技機の趣向を凝らす工夫がなされている。
【０００３】
このような遊技機に用いられる照光式押圧スイッチとしては、操作性の観点から押圧面の面積が大きいことと、装飾性の観点から押圧面の照光むらが少ないことが望まれる。
【０００４】
ところでこれまでの遊技機の照光式押圧スイッチには、内筒部材、レンズ、及び拡散シートからなる操作部材を備えるものが提案されている。
例えば、特許文献１の段落００２６には、「内筒部材３３の上部において、上方から赤色透明色をしたレンズ３６を、楕円形をして発光器５３が発光した光を拡散させる拡散シート３７を介して嵌め込み可能に形成」された遊技機のスイッチ装置が記載されている。
【先行技術文献】
【特許文献】
【０００５】
【特許文献１】特開２００５−１１８４４８号公報（図２などを参照）
【発明の概要】
【発明が解決しようとする課題】
【０００６】
しかしながら、特許文献１に記載の照光式押圧スイッチは、内筒部材の上方からレンズを拡散シートを介して嵌め込む構成であった（特許文献１の段落００２６を参照）。このため、遊技機が遊技者らによっていわゆるゴト行為と呼ばれる不正ないたずらの標的とされた場合に、例えばドライバでレンズを上に持ち上げるようにして内筒部材との嵌め込みを解除して取り外すなどの破壊行為の被害にあってしまうことがあった。
【０００７】
そこで本発明は、ゴト行為と呼ばれる不正ないたずらへの対抗性を備え、照光性の優れた遊技機用の照光式押圧スイッチを提供することを目的とする。
【課題を解決するための手段】
【０００８】
本発明は、遊技機に固定され、略円筒形状を呈する筺体と、前記筺体の内部に、上下移動および周方向の回転移動が可能に設けられる移動体と、前記移動体を上方へと付勢する付勢部材と、前記筺体の内部に設けられる光源と、前記筺体の内部に設けられ前記移動体の上下移動を検知する検知手段と、を備え、前記移動体は、中空で上部が開口し内部に前記光源の発する光を反射する光反射部材が設けられた可動子と、上方からの押圧を受けて前記移動体に前記上下移動を行わせ、前記開口を塞ぐように前記可動子に装着される透光性を有する押圧部材と、前記押圧部材と前記可動子との間に、前記開口よりも大径の光を拡散させるフィルタと、を含んでなり、前記押圧部材の側面から側方に突出した突起が前記筺体の内周面に前記上下移動の方向を長手方向として形成された案内溝にガイドされて前記押圧を受けて前記上下移動するときの方向と同じ方向に前記筺体の内部に挿入されるとともに、さらに前記突起が前記筺体の内周面に周方向を長手方向として形成された規制窓にガイドされて周方向に回転移動されることによって、前記突起と前記規制窓との係合で抜き取り不能に前記筺体に係り合って装着され、装着時においては、前記突起の上端と前記筐体の一部とが当接するとともに、前記突起の下端と前記可動子のフランジとが当接していることを特徴とする。
【０００９】
この構成によれば、移動体は、押圧を受けて上下移動するときの方向と同じ方向、すなわち押圧方向に挿入されるとともにさらに周方向に回転移動されることによって、筺体に係り合って装着される。これによって、遊技者らによって遊技機がいわゆるゴト行為と呼ばれる不正ないたずらの標的とされた場合であっても、照光式押圧スイッチが破壊されない。もう少し詳しく説明すると、例えばドライバで移動体を上に持ち上げて取り外そうとしても、移動体は、上下方向つまり押圧方向に加えて、回転させて筺体に嵌め込まれ係り合うようにされている。ゆえに照光式押圧スイッチが破壊されてしまうことはない。
【発明の効果】
【００１０】
本発明によれば、ゴト行為と呼ばれる不正ないたずらへの対抗性を備え、照光性の優れた遊技機用の照光式押圧スイッチを提供することができる。
【図面の簡単な説明】
【００１１】
【図１】本発明の一実施形態にかかる遊技機用の照光式押圧スイッチが適用されたパチンコ機の操作パネル部分の拡大斜視図である。
【図２】本発明の実施形態にかかる照光式押圧スイッチが、遊技機の操作パネルに装着される様子を説明する斜視図である。
【図３】実施形態にかかる照光式押圧スイッチの分解斜視図である。
【図４】実施形態にかかる照光式押圧スイッチの構造を説明する図である。
【図５】実施形態にかかる照光式押圧スイッチの縦断面を説明する図であり、（ａ）は側面図において縦断面方向を説明する図、（ｂ）は（ａ）のＦ−Ｆ矢視断面図である。
【図６】実施形態にかかる照光式押圧スイッチの可動子の底面斜視図である。
【図７】実施形態にかかる照光式押圧スイッチの構造を説明する図である。
【図８】実施形態にかかる照光式押圧スイッチの構造を説明する図である。
【図９】実施形態にかかる照光式押圧スイッチの、（ａ），（ｃ）は縦断面方向を説明する図であり、（ｂ）は（ａ）のＫ−Ｋ矢視断面図、（ｄ）は（ｃ）のＪ−Ｊ矢視断面図である。
【発明を実施するための形態】
【００１２】
以下、本発明の一実施形態にかかる遊技機用の照光式押圧スイッチについて、適宜図面を参照しながら、パチンコやパチスロなどの遊技機のチャンスボタンに適用する場合を例に挙げて説明する。但し、これはあくまで実施形態の一例を示したものにすぎない。つまり、本発明の実施形態は、遊技機のストップボタンや、ベットボタンなどに適用することもできる。
また、各図面で共通する部材には同一の符号を付して、重複する説明を省略する。また、図を簡略化して分かりやすく描くために、おのおので要素部品の記載を一部省略している場合がある。前後上下左右の方向軸については、各図の記載によるものとする。
【００１３】
図１は、本発明にかかる遊技機用の照光式押圧スイッチ２０が適用される遊技機１０として例示するパチンコ機の操作パネル１３の部分を拡大して示す斜視図である。
パチンコ機は、遊技者の視覚によって認識される表示パネル１２と、遊技者が操作する操作パネル１３とが支持枠１１によって保持されて構成されている。なお、符号１５は打球レバー、符号１６は貯留皿である。
【００１４】
照光式押圧スイッチ２０ａは、出球の回収皿１４から貯留皿１６への配送を、遊技者が自発的に実行するための操作スイッチである。
照光式押圧スイッチ２０ｂは、このようにして配送されて貯留皿１６に貯留した出球を外部（図示略の箱）に向けて排出させる操作スイッチである。
照光式押圧スイッチ２０ｃは、いわゆるチャンススイッチと呼ばれ、遊技の演出を多様化さるための操作スイッチである。
なお、以下の実施形態では本発明を照光式押圧スイッチ２０ｃに適用する場合を例に挙げて説明するが、これには限定されない。ゆえに、以下で照光式押圧スイッチ２０ｃと記載した場合、照光式押圧スイッチ２０ａ，２０ｂに適用してもよい。
【００１５】
図２は、照光式押圧スイッチ２０ｃが、操作パネル１３（図１参照）に装着される様子を説明する図である。説明のため、操作パネル１３および照光式押圧スイッチ２０ｃの一部を断面で表している。
【００１６】
図２に示されるように照光式押圧スイッチ２０ｃは、操作パネル凹部１３ａに配され、ボタン部３１と、筐体２２とを備えている。
ボタン部３１は例えば透光性を有する素材で形成された押圧部材である。ボタン部３１は押圧面２１を備えている（詳細後記）。また、筐体２２は、後記する各種構成部品（図３参照）をその内部に収容するとともに、操作パネル凹部１３ａに形成された固定孔１９に挿入される。
以上によって照光式押圧スイッチ２０ｃは、押圧面２１を含むボタン部３１を露出させて操作パネル１３（図１参照）に嵌め込まれる。
【００１７】
次に、図３は、照光式押圧スイッチ２０ｃの分解斜視図であり、照光式押圧スイッチ２０ｃの各構成部品を表している。
図３に示すように、照光式押圧スイッチ２０ｃは、ボタン部３１と、可動子４０と、照光式押圧スイッチ２０ｃの外郭となる第１側筒部６０ａ，第２側筒部６０ｂを含む筺体２２と、を備えている。
ボタン部３１は、押圧面２１が例えば上面視で略円形形状であって、前方から後方に向かって徐々に高さが高くなる傾斜面を有してなる略円筒形状の部材であるが、特にこれには限定されない。
ボタン部３１の周側面の下方には、ガイド突起２６、被係合孔２８、係入孔３３が設けられている。ここで、被係合孔２８は、後記する可動子４０の係合片４５と係り合い、ボタン部３１と可動子４０との上下方向の動きを規制する部材である。また、係入孔３３には可動子４０の係止片４８が係り合い、ボタン部３１と可動子４０とが互いに周方向に回転しようとする動きを規制する部材である。ガイド突起２６については詳細を後記する。
【００１８】
可動子４０は、付勢部材３４（コイルばね）の上方に配置されるとともに前記したボタン部３１が上面にかぶさるようにして装着される。そして押圧面２１の押圧動作に応じて、付勢部材３４の付勢力に抗しながら移動する部材である。可動子４０は中空で上部が開口Ｓをなし、内部に光源５２の発する光を反射する反射面４２などの光反射部材が設けられている。
なお、反射面４２の開口Ｓから望む上面視において、光源５２が見通せるようにされている。つまり、反射面４２は、光源５２から開口Ｓに向かって末広がりに形成される（図５（ｂ）参照）。
なお、可動子４０の反射面４２の表面には、反射光が効果的に散乱するように公知の光学的なレンズカットが施されていてもよい。
【００１９】
また、可動子４０の外周面には係合片４５と、係止片４８が備えられる。係合片４５はボタン部３１の被係合孔２８と係り合う。また、係止片４８はボタン部３１の係入孔３３に係り入れられる。なお、実施形態では係合片４５，被係合孔２８を一つの対として、図３の前後方向にそれぞれ１箇所ずつ設けられている（図３では前側のみ図示）。また実施形態では係止片４８，係入孔３３を一つの対として、図３の左右方向にそれぞれ１箇所ずつ設けられている（図３では右側のみ図示）。
【００２０】
なお、遊技者がボタン部３１の押圧面２１を押圧すると、可動子４０を付勢している付勢部材３４の付勢力に抗するようにして、ボタン部３１と、ボタン部３１に係り合った可動子４０と、ボタン部３１と可動子４０の間に挿入されたフィルタ３２とが一体となって動く。
【００２１】
筺体２２は、第１側筒部６０ａと、当該第１側筒部６０ａの下端に設けられて第１側筒部６０ａと同じ中心軸および同じ内周径を有してなる第２側筒部６０ｂとを含んでなる。例えば第２側筒部６０ｂの下端は、略円筒部材が中心軸の面直方向に輪切りされた形状を呈している。また、第１側筒部６０ａの上端は、略円筒部材が中心軸から傾斜するように輪切りされた形状を呈している。この傾斜する輪切り形状は、筺体２２の内部に前記した可動子４０とボタン部３１とが嵌め込まれた際に、前記の押圧面２１の傾斜面と略同じ傾斜となるようにされている。なお、第１側筒部６０ａの内周面にはガイド突起２６を案内するガイドスリット２９が、さらに第２側筒部６０ｂには角窓部７６が設けられている（詳細後記）。また、第２側筒部６０ｂの下端には、板状部６４と、付勢部材３４が載置されるガイド溝７５が形成されている。そして、筺体２２の下端には、底部７０に設けられた係入片７１が係り合う係入孔６３が形成されている。
【００２２】
また、照光式押圧スイッチ２０ｃは、付勢部材３４を備えている。付勢部材３４は、筺体２２の内部に設けられたガイド溝７５に嵌り込むことによって下方への移動が規制され、上方の可動子４０に付勢力を付与する部材である。付勢部材３４としては、例えばコイルばねを用いることができる。但し、特にこれには限定されない。
【００２３】
また、照光式押圧スイッチ２０ｃは、可動子４０の押圧動作を検知する検知手段５３や、光源５２などが備えられた電装部５０を有している。ここで検知手段５３は、例えば赤外光の発光素子５３ａとその受光素子５３ｂとが対向するように配置されてなる透過型光センサなどである。そして、照光式押圧スイッチ２０ｃが非押圧状態にあるときは、発光素子５３ａの赤外光は受光素子５３ｂに検出された状態となる。また押圧状態にあるときは、可動子４０に設けられた後記する被検板４７が検知手段５３（５３ａ，５３ｂ）の間に配置され、赤外光が検出されない状態となる。そして検知手段５３は、赤外光の検出の有無に対応させて照光式押圧スイッチ２０ｃの非押圧状態および押圧状態を判別する信号を出力するようになっている。
【００２４】
このように、本実施形態の照光式押圧スイッチ２０の非押圧状態および押圧状態を判別する手段としては、無接触方式の透過型光センサなどであることが好ましい。しかし、特にこれに限定されるものではなく電気接点方式のような接触方式を採用してもよい。
【００２５】
光源５２は、例えばその光軸が上向きになるように基板５１上に配置されている。光源５２は、例えば高輝度のＬＥＤ（light-emitting diode）素子であってもよいし、その他の発光素子であってもよい。
この光源５２は、外部端子２５を経由して供給される電力によって点灯する。さらには、図示しない制御装置によって連続点灯や間欠点灯などを任意に設定できるようにしてもよい。また、光源５２は、検知手段５３からの判別信号に対応させて点灯させることも可能である。さらには、光源５２自身が様々な色を発色するようにしてもよい。また複数の相互に異なる色の光源５２を設けて順次交代で点灯させて、照光する押圧面２１の色を変化させることも可能である。さらに複数の異色の光源５２を同時に点灯させることによって、多様な色彩の色を調色して照光させるようにすることもできる。
【００２６】
また、電装部５０の基板５１の裏面には外部端子２５が設けられている。外部端子２５は、筐体２２の底面側の収納部に装着される。つまり、電装部５０は電装部品関係を一つの基板にまとめて装備するようにして、筐体２２の収納部に収納される。そして、外部端子２５は、筐体２２から押圧方向の下方に向けて開口するようにして設けられる（詳細後記）。外部端子２５は、このようにして遊技機１０（図１参照）の本体内部又は照光式押圧スイッチ２０ｃの制御器（図示せず）から延びる配線の先端に設けられている図示しない接続端子と接続される。ここで外部端子２５は、照光式押圧スイッチ２０ｃが照光するのに必要な電力を供給したり、押圧状態又は非押圧状態を識別する信号を出力するものである。
【００２７】
また、照光式押圧スイッチ２０ｃは、底部７０を備える。底部７０には係入片７１が設けられ、筺体２２の係入孔６３に係り入れられる。なお、係入片７１，係入孔６３はこれを一つの対として、図３に示す左右方向にそれぞれ１箇所ずつ備えられる。また、可動子４０の脚部４９の回転を規制する第１脚受壁７８，第２脚受壁７９を備えている。
また、照光式押圧スイッチ２０ｃは、ボタン部３１と可動子４０との間に発光色を調整するフィルタ３２を備えている。
【００２８】
フィルタ３２は、リフレクタ４１の開口Ｓの径よりも若干大きな形状である（図５（ｂ）も併せて参照）。また、フィルタ３２はボタン部３１と、可動子４０との間に介装される。フィルタ３２は光が入射するとその進行方向に対しさらに多方向に光が拡散する部材である。これによって、仮にフィルタ３２に入射する光の押圧面２１方向の面分布に多少のむらがあったとしても、フィルタ３２を透過すれば光の面分布は均一化される。これによって、遊技者からはフィルタ３２が全面にわたって照光しているように見える。
なお、以下の説明において、ボタン部３１と、可動子４０とからなる部材を、移動体３０ともいう。
【００２９】
次に、図４、および図５（ａ），図５（ｂ）を参照しながら、ボタン部３１のガイド突起２６を、筺体２２の第１側筒部６０ａに係り合わせる様子を説明する。
図４は、本発明の一実施形態にかかる照光式押圧スイッチの構造を説明する図であり、移動体を筺体に挿入する直前の様子を説明する斜視図である。
例えばまず初めに、移動体３０を組立てる。移動体３０は、上からボタン部３１、可動子４０をこの順で挟み込むようにして嵌め込む。この際、可動子４０の係合片４５がボタン部３１の被係合孔２８に、可動子４０の係止片４８がボタン部３１の係入孔３３にそれぞれ係り合うようにする。なおフィルタ３２を例えばボタン部３１と可動子４０との間に挟み込んでもよい（図４では不図示）。
次に、付勢部材３４を筺体２２の内部に設けられたガイド溝７５（図３参照）に沿って設置する。
【００３０】
ところで、前記したボタン部３１はその外周の周側面下方に外側に突出したガイド突起２６（第１の規制部）を備えている。このガイド突起２６は、実施形態では例えば略四方の位置関係となるように４箇所備えられているが、特にこれには限定されない（図４では３箇所分のみ図示）。このガイド突起２６は、例えば略矩形状の突起で形成されたものであるが、特にこれには限定されない。
また、筺体２２の第１側筒部６０ａの内周面でこのガイド突起２６と対応する位置には、ガイドスリット２９（誘導部）が設けられている。このガイドスリット２９は、移動体３０のガイド突起２６を下方に溝に沿って案内するものである。
【００３１】
そこで、この移動体３０のガイド突起２６を第１側筒部６０ａのガイドスリット２９の位置に合せて、移動体３０を下方に押圧し、ガイド突起２６をガイドスリット２９に沿って下方に降下させる。すると、ガイド突起２６は板状部６４と接する。なお、第２側筒部６０ｂにはガイドスリット２９を長手方向の一端側とし他端側がガイドスリット２９を超えたさらに先に設けられて側面視略矩形状を呈する角窓部７６（規制窓）が設けられている。これによって、ガイド突起２６が板状部６４と接したか否かは目視で確認することができる。
この状態で、図４の実線矢印に示すように、角窓部７６の他端側に向けて、移動体３０のガイド突起２６を周方向に、例えば時計回りに回転させる。そして、ガイド突起２６が角窓部７６の他端側に接した時点で、移動体３０から手を離す。
すると、付勢部材３４の付勢力を受けて、移動体３０が上方に付勢される。そして、第１側筒部６０ａと接して静止する。
【００３２】
図５（ａ），（ｂ）は、実施形態にかかる照光式押圧スイッチの縦断面をそれぞれ説明する図であり、（ａ）は側面図を示すとともに縦断面方向を説明する図、（ｂ）は（ａ）のＦ−Ｆ矢視断面図である。
図５（ａ）は、実施形態にかかる照光式押圧スイッチの移動体３０が付勢部材３４の付勢力を受けて上方に付勢され、第１側筒部６０ａと接して静止している様子を示す側面図である。この状態における、Ｆ−Ｆ矢視断面図を図５（ｂ）に示す。
図５（ｂ）に示すように、移動体３０は、付勢部材３４の付勢力を受けて上方に変位するが、ガイド突起２６が第１側筒部６０ａと接することでその動きが規制され、制止する。この状態が、移動体３０の上死点となる。一方で、移動体３０の押圧面２１を下方に押圧すると、可動子４０のフランジ４６が筺体２２の板状部６４に接することで、下方への動きが規制される。この状態が、移動体３０の下死点となる。つまり、図５（ｂ）に実線矢印で示す範囲内で、移動体３０の上死点と下死点が規定される。
【００３３】
以上を換言してまとめると、移動体３０は、押圧を受けて上下移動するときの方向と同じ方向に筺体２２の内部に挿入されるとともにさらに周方向に回転移動されることによって、抜き取り不能に前記筺体２２に係り合って装着される。そして移動体３０は押圧がされない時点において、付勢部材３４の付勢力を受けてガイド突起２６（第１の規制部）が第１側筒部６０ａと接して上方への動きが規制される。
【００３４】
次に、図６を参照しながら、実施形態にかかる照光式押圧スイッチの可動子の底面斜視図について説明する。
図６に示すように、可動子４０の底面側には、被検板４７と、脚部４９が備えられている。ここで、被検板４７は、可動子４０のいずれかの部位に一端が固定されて設けられる。そして、照光式押圧スイッチ２０ｃが押圧された状態において電装部５０の検知手段５３に検知されるように位置調整されている。より具体的には、被検板４７は移動体３０（可動子４０）が押圧されることで電装部５０の検知手段５３（５３ａ，５３ｂ）の間に挿入される。そして、被検板４７が赤外線を遮断することで、移動体３０が押圧されたか否かの検知がなされる部位である。
【００３５】
なお、被検板４７の形状は一端側が可動子４０に固定されており、他端側が検知手段５３（５３ａ，５３ｂ）の間に挿入可能な形状であれば、どのような形状でもよい。
また、脚部４９は後記する底部７０によって、移動体３０の周方向の回転を規制することができる部位である。
【００３６】
次に、図７を参照しながら、実施形態にかかる照光式押圧スイッチの構造の続きを説明する。
図７は、図５（ａ）に示される照光式押圧スイッチを、矢印Ｖで示される底面側からみた斜視図である。
図７に示すように、筺体２２の底面側の内部の略中央付近には、電装部５０が装着される収納部が設けられている（図７の網かけ領域参照）。この収納部の外周形状は電装部５０の外周形状と略一致するようにされている。そして、中央部分には光源５２が発光した光を導光するための導光孔６５が形成されている。光源５２が発した光は、導光孔６５を通過して、反射面４２または移動体３０へと進み、押圧面２１を照光する。
ここで、図７の符号６６は支持アームである。支持アーム６６の左右には上面側に向けて開口した空間Ｓｋ，Ｓｋが形成されている。支持アーム６６には、検知手段５３ａ，５３ｂが間を跨ぐようにして設置される。このようにして支持アーム６６は、検知手段５３（５３ａ，５３ｂ）を含む電装部５０の一端を支持している。
なお、支持アーム６６の厚みは、検知手段５３（５３ａ，５３ｂ）の赤外線の送受信に支障をきたさないように、極力薄いものが望ましい。
【００３７】
図８は、図７で説明した網かけ領域に電装部５０を、検知手段５３（５３ａ，５３ｂ）が上面側（紙面下側）を向くようにして設置した図である。この状態では、外部端子２５が底面側（紙面上側）を向くようになっている。
ところで、外部端子２５は、筐体２２から押圧方向（紙面上側）に向けて開口するようにして設けられる。ゆえに、端子開口部７７の位置が外部端子２５の位置と合うようにして底部７０の位置を調整する。そして、上面側（紙面下側）に向けて底部７０を筺体２２の底面側（紙面上側）から押圧して介装する。すると、底部７０に設けられた左右２箇所の係入片７１，７１（図８では左側の係入片７１のみ図示）が、筺体２２の係入孔６３に係り合う。このようにして、実施形態にかかる照光式押圧スイッチの組み立てが完了する。
【００３８】
次に図９（ａ）〜図９（ｄ）を参照しながら、可動子４０に備えられた脚部４９と底部７０によって、可動子４０の周方向の回転移動の戻りが規制される様子を説明する。
図９は、実施形態にかかる照光式押圧スイッチの、（ａ），（ｃ）は縦断面方向を説明する図であり、（ｂ）は（ａ）のＫ−Ｋ矢視断面図、（ｄ）は（ｃ）のＪ−Ｊ矢視断面図である。なお、説明を分かりやすくするために、図９（ａ）〜図９（ｄ）では、移動体３０のうちの可動子４０および底部７０以外の図示を省略している。つまり、筺体２２およびボタン部３１の図示は省略している。
図３で説明したように、底部７０は、その内部において、可動子４０の左右の脚部４０の周囲をそれぞれ取り囲むように配置された脚受壁である第１脚受壁７８、第２脚受壁７９が設けられている。図９（ｂ）に示すように、第１脚受壁７８は脚部４９を前後方向からそれぞれ接して支持する壁となっている。また、図９（ｄ）に示すように、第２脚受壁７９は、脚部４９を左右方向からそれぞれ接して支持する壁となっている。
以上のように、左右の脚部４９は、周囲を底部７０に備えられた第１脚受壁７８、第２脚受壁７９によって囲まれることで、その回転移動が規制される。これによって、可動子４０の周方向への回転移動が規制される。
【００３９】
（作用・効果）
一実施形態にかかる遊技機用の照光式押圧スイッチの作用・効果をまとめると、以下のようになる。
図４などに示すように、本実施形態にかかる遊技機用の照光式押圧スイッチ２０ｃは、移動体３０を押圧方向に嵌め込む。すなわち上から下に移動体３０のガイド突起２６が筺体２２の第１側筒部６０ａのガイドスリット２９に沿うようにして嵌め込む。そして、角窓部７６がガイドスリット２９を一端側として他端側がガイドスリット２９よりも外側に延び出るようにして設けられているので、角窓部７６に沿って、さらに移動体３０を周方向に回転させる。このような極めて装着容易な手順によって、移動体３０の上死点および下死点を超える上下方向の動きが規制される。
【００４０】
具体的には、図５（ｂ）に示すように、ガイド突起２６が第１側筒部６０ａに接することで、移動体３０の上方向の動きが規制される（上死点）。また、可動子４０のフランジ４６が筺体２２の内部に形成された板状部６４と接することで、移動体３０の下方向の動きが規制される（下死点）。
また移動体３０の周方向の回転移動に関しても、図９（ａ）〜図９（ｄ）に示されるようにして規制される。つまり、移動体３０を構成する可動子４０の脚部４９が、筺体２２に固定される底部７０の第１脚受壁７８，第２脚受壁７９によって周囲を略隙間なく接するように囲まれて規制される。
【００４１】
これによって、例えば照光式押圧スイッチ２０ｃがゴト行為などの不正ないたずらの標的とされても、上死点および下死点を超えるような上下方向、および周方向には移動体３０が移動しない。具体的には、例えば遊技者がドライバで移動体３０を上に持ち上げて取り外そうとしても、移動体３０は、上下方向つまり押圧方向に加えて、回転させて筺体に嵌め込まれ係り合うようにされている。ゆえに、ドライバによる移動体３０の上への持ち上げ行為だけでは、照光式押圧スイッチが破壊されてしまうことはない。
【００４２】
より詳細に説明すると、移動体３０の上下方向は、前記した通りガイド突起２６が第１側筒部６０ａに接することで、上死点が決定されている。また、可動子４０のフランジ４６が筺体２２の内部に形成された板状部６４と接することで、移動体３０の下死点が決定されている（図５（ｂ））。また、移動体３０の周方向の回転移動は、可動子４０の脚部４９が、筺体２２に固定される底部７０の第１脚受壁７８，第２脚受壁７９によって周囲を略隙間なく接するように囲まれることによって規制されている。このような構造を有する移動体３０を筺体２２から取り外すには、まず先に底部７０を取り外し、移動体３０の回転規制を解除することが必要である。しかし、操作パネル凹部１３ａ（図２参照）に嵌め込まれた状態の照光式押圧スイッチ２０ｃの底部７０と筺体２２との係り合いを、外部からドライバで解除することは困難である。ゆえに、本実施形態にかかる照光式押圧スイッチ２０ｃは、このようなゴト行為への高い対抗性を備えているといえる。そして、高い破壊防止効果を奏することができる。
【００４３】
また、図５（ｂ）などに示すように、実施形態にかかる照光式押圧スイッチ２０ｃのフィルタ３２は、可動子４０の反射面４２の開口Ｓよりも大径の形状を呈している。このようにすることで、光源５２から発せられた光をより広範囲に拡散させてボタン部３１をより広範囲に照光させることができる。つまり、優れた照光性を発揮できる。
【００４４】
また、照光式押圧スイッチがボタン部３１を上下方向に押圧して内筒部材に嵌める方式であると、ボタン部３１の周縁部の壁面に内筒部の爪部と係り合う孔部などの係合部を形成しなければならず、ボタン部３１の壁厚を薄くすることができなかった。また、キートップの面サイズを大きくすると厚い周縁部の壁面よりも外側の部分において光が当たらない箇所が出来ていた。
【００４５】
しかし、本実施形態にかかる照光式押圧スイッチ２０ｃは前記したように、移動体３０を上下方向へ押圧することに加えて周方向へ回転させて底部７０で脚部４９の動きをロックする方式となっている。これによってボタン部３１の周縁部の壁面の面方向には係合部が存在しない（実施形態の場合、係合部はボタン部３１の周縁部の下端から壁厚方向に突出するガイド突起２６とした）ので、ボタン部３１の周縁部の壁面の壁厚を従来よりも薄くすることができる。このようにボタン部３１をコンパクト化したので、フィルタ３２の大きさを従来よりも大型化することができ、優れた照光性を発揮できる。すなわち、より一層広範囲を照光させることができる。
【００４６】
上記した一実施形態は本発明を分かりやすくするために詳細に説明したものであり、必ずしも、説明した全ての構成を備えるものに限定されるものではない。
【００４７】
また、ある実施形態の構成の一部を他の実施形態の構成に置き換えることが可能であり、また、ある実施形態の構成に、他の実施形態の構成の一部もしくは全てを加えることも可能である。また、実施形態の構成の一部について、他の構成の追加・削除・置換をすることが可能である。
【００４８】
例えば、ボタン部３１の周方向への回転について、本実施形態にかかる照光式押圧スイッチ２０ｃでは、図４などでは時計回りに回転させる場合で説明したが、これには限定されない。例えば、ボタン部３１を反時計回りに回転させる方式としてもよい。この場合には例えば、角窓部７６の他端側を、実施形態とは反対側に延びた構成とすればよい。
【００４９】
また、ガイド突起２６は略矩形状に突出した突起であるものとして説明したが、これには特に限定されない。また、ガイド突起２６の位置に関しても、略四方の位置関係に限定されない。またガイドスリット２９および角窓部７６の位置に関しても、ガイド突起２６の位置と対応する箇所に設けられていればよいので、実施形態の例には限定されない。
【００５０】
また、図５（ｂ）において、ボタン部３１には押圧される天板を設けず中空として、可動子４０に押圧される天板が備えられる構成であってもよい。そして、被係合孔２８および係合片４５（図３参照）をいずれもなくし、ボタン部３１に対して可動子４０が、押圧に伴う上下移動が可能なようにする。この場合には、第１側筒部６０ａとボタン部３１とは、ねじの作用で嵌め合わせて固定される構成とすることもできる。なお、この場合であっても、可動子４０とボタン部３１とを含んでなる移動体は、押圧を受けて上下移動するときの方向と同じ方向に筺体２２の内部に挿入されるとともにさらに周方向に回転移動されることによって、抜き取り不能に前記筺体２２に係り合って装着されるものと言える。
【００５１】
また、本実施形態にかかる照光式押圧スイッチ２０ｃの可動子４０の周方向の回転移動の戻りは、可動子４０の脚部４９の周囲を底部７０の第１脚受壁７８、第２脚受壁７９が囲むことによって規制されると説明したがこれに限らない。例えば、脚部４９と底部７０とがロックピンによって固定され、これによって回転移動の戻りが規制されるようにしてもよい。
【００５２】
検知手段５０は、筺体２２に装着されている例で説明したが、これには特に限定されない。例えば検知手段５０を可動子４０と一体となるようにして、実施形態とは上下を反転させて固定する。そして、被検板４７を筺体２２から検知手段５０が設置された上方に向けて延び出させる構成としてもよい。このとき光源５２は検知手段５０とは反対側の面に設置してもよい。
【００５３】
また、実施形態では検知手段５０は例えば赤外線を用いた無接触方式の透過型光センサを採用する場合で説明したが、電気接点方式などに置き換えることも可能である。
【００５４】
さらには、可動子４０の反射面４２に導光板を採用してもよい。ここで、導光板とは、その端面から入射した光を内部伝導させるとともに、表面に刻設された溝によってこの内部伝導する光を乱反射させ、この表面に垂直な方向に光を照光させるものである。つまり、図７に示す導光孔６５から図９（ｄ）に示す反射面４２の側面方向に向けて点光源である光源５２から出射された光を、反射面４２の面直方向の光源、すなわち面光源に変換するものである。
このようにすると、移動体３０に向かって進行する光は、より光強度の均一性が高くなるので、押圧面２１における照光の均一性はさらに向上する。これによって、照光式押圧スイッチ２０の薄型化・小型化・省エネ化を実現することができるので、好適である。
【符号の説明】
【００５５】
１０  遊技機、２０，２０ａ，２０ｂ，２０ｃ  照光式押圧スイッチ、２１  押圧面（照光面）、２２  筐体、２５  外部端子（端子）、２６  ガイド突起（第１の規制部、突起）、２９  ガイドスリット（誘導部、案内溝）、３０  移動体、３１  ボタン部（押圧部材）、３２  フィルタ、３４  付勢部材、４０  可動子、４２  反射面（光反射部材）、４６  フランジ、４７  被検板、４９  脚部、５０  電装部、５２  光源、５３  検知手段、５３ａ  発光素子、５３ｂ  受光素子、６０ａ  第１側筒部、６０ｂ  第２側筒部、７０  底部（筺体）、７６  角窓部（第２の規制部、規制窓）、７８  第１脚受壁（第３の規制部、脚受壁）、７９  第２脚受壁（第３の規制部、脚受壁）、Ｓ  開口
【図１】
0006364345.tif 000002
【図２】
0006364345.tif 000003
【図３】
0006364345.tif 000004
【図４】
0006364345.tif 000005
【図５】
0006364345.tif 000006
【図６】
0006364345.tif 000007
【図７】
0006364345.tif 000008
【図８】
0006364345.tif 000009
【図９】
0006364345.tif 000010